(57)【要約】【課題】平行２線間の結合容量の増加に起因する平衡度の低下を抑制しつつ、ノーマルモードインピーダンスの増加を来さないコモンモードチョークコイルを実現すること。【解決手段】トロイダルコアが挿通される中空部が設けられたボビン上の巻枠部に所定の巻線を巻回してなるコモンモードチョークコイルにおいて、ボビンの巻枠部を２以上の領域に分割する分割壁によって分割された分割巻枠部に所定の巻線が平行巻きで巻回されて構成される。また、一の分割巻枠部に巻回された巻線を隣接する分割巻枠部に渡すための切り欠き部が分割壁のそれぞれに１以上設けられる。【選択図】        図７
2007335526.tif 000002
【特許請求の範囲】
【請求項１】
トロイダルコアが挿通される中空部が設けられたボビン上の巻枠部に所定の巻線を巻回してなるコモンモードチョークコイルにおいて、
前記ボビンは、自身の巻枠部を２以上の領域に分割する分割壁を具備し、
前記分割壁によって分割された分割巻枠部に前記所定の巻線が平行巻きで巻回されたことを特徴とするコモンモードチョークコイル。
【請求項２】
前記所定の巻線が２線であり、該２線の巻線が前記ボビンの分割巻枠部にバイファイラ巻きで巻回されたことを特徴とする請求項１に記載のコモンモードチョークコイル。
【請求項３】
一の分割巻枠部に巻回された巻線を隣接する分割巻枠部に渡すための切り欠き部が前記分割壁のそれぞれに１以上設けられていることを特徴とする請求項１または２に記載のコモンモードチョークコイル。
【請求項４】
前記分割壁を前記所定の巻線の巻幅方向に螺旋状に形成したことを特徴とする請求項１または２に記載のコモンモードチョークコイル。
【請求項５】
請求項１〜４のいずれか一つに記載のコモンモードチョークコイルと、
前記コモンモードチョークコイルの一端側の引き出し線に接続されるプラグ端子と、
を備えたことを特徴とするコンセントプラグ。
【請求項６】
請求項５に記載のコンセントプラグと、
前記コンセントプラグに具備されるコモンモードチョークコイルの他端側の引き出し線に接続されるコンセントジャックと、
を備えたことを特徴とするコンセントアダプタ。
【請求項７】
請求項１〜４のいずれか一つに記載のコモンモードチョークコイルと、
前記コモンモードチョークコイルの一端側の引き出し線に接続される第１の接続端子と、
前記コモンモードチョークコイルの他端側の引き出し線に接続される第２の接続端子と
前記第１、第２のいずれかの接続端子と前記コモンモードチョークコイルとを繋ぐ導電線からの分岐線上にインダクタ素子を介して設けられた第３の接続端子と、
を備えたことを特徴とするテーブルタップ。
【請求項８】
請求項１〜４のいずれか一つに記載のコモンモードチョークコイルと、
前記コモンモードチョークコイルのいずれかの端の引き出し線にトランス結合された接続端と、
を備えたことを特徴とする配線アダプタ。
【発明の詳細な説明】
【技術分野】
【０００１】
本発明は、通信系に使用するコモンモードチョークコイルに関するものであり、特に、電力線通信を行う通信装置、電力線通信に用いられる電源装置、あるいは電力線、通信線などの要所に配置されて好適なコモンモードチョークコイルならびに当該コモンモードチョークコイルを具備するコンセントプラグ、コンセントアダプタ、テーブルタップおよび配線アダプタに関するものである。
【背景技術】
【０００２】
従来、２本の導電線を同方向に平行に巻回する「バイファイラ巻き」と呼ばれる巻き方で巻回されたコモンモードチョークコイルが存在する（例えば、非特許文献１）。この非特許文献１に示される「バイファイラ巻き」で巻回されたコモンモードチョークコイルは、トロイダルコアの周囲に２本の導電線が直接巻回されており、コモンモードに対するインピーダンスの増大作用により、コモンモードノイズの低減を可能としている。
【０００３】
また、この非特許文献１には、導電線を巻回したボビンをトロイダルコアに実装するタイプのコモンモードチョークコイルも存在する。ただし、この非特許文献１に示されるボビンを使用するタイプのコモンモードチョークコイルは、２本の導電線を異なる方向に単独で個々に巻回する「キャンセル巻き」と呼ばれる巻き方で巻回されている。なお、この「キャンセル巻き」と呼ばれる巻き方は、コモンモードノイズとノーマルモードノイズの両モードに対するノイズ低減効果があると言われている。
【０００４】
【非特許文献１】太陽誘電株式会社製コモンモードチョークコイル  ＣＭ０８ＲＡ（バイファイラ巻き）、ＴＬＦ９ＵＢ（キャンセル巻き）、「ＯＮＬＩＮＥ」、「平成１８年６月２日検索」、インターネット＜ＵＲＬ：ｈｔｔｐ：／／ｗｗｗ２．ｙｕｄｅｎ．ｃｏ．ｊｐ／ｈｐ／ｃｏｍ／ｃａｔａｌｏｇ／ＰＤＦ＿ＣＡＴＡＬＯＧ／ＰＤＦ／ＪＥＴＬＤＤ１．ＰＤＦ＞
【発明の開示】
【発明が解決しようとする課題】
【０００５】
しかしながら、従来のトロイダルコアを用いた「バイファイラ巻き」のコモンモードチョークコイルの場合、コモンモードインピーダンスを高めるために、平行２線の巻回数を増やすと、隣接する平行２線が近接し、平行２線間の結合容量が増加して平衡度が低下するといった問題点があった。
【０００６】
また、ボビンに導電パターンを１線ずつ巻回する「キャンセル巻き」のコモンモードチョークの場合、ノーマルモードインピーダンスが高くなり、平衡度が低下するという問題点があった。
【０００７】
本発明は、上記に鑑みてなされたものであって、平行２線間の結合容量の増加に起因する平衡度の低下を抑制しつつ、ノーマルモードインピーダンスの増加を来さないコモンモードチョークコイルを実現するとともに、当該コモンモードチョークコイルを用いたコンセントプラグ、コンセントアダプタ、テーブルタップおよび配線アダプタを提供することを目的とする。
【課題を解決するための手段】
【０００８】
上述した課題を解決し、目的を達成するため、本発明にかかるコモンモードチョークコイルは、トロイダルコアが挿通される中空部が設けられたボビン上の巻枠部に所定の巻線を巻回してなるコモンモードチョークコイルにおいて、前記ボビンは、自身の巻枠部を２以上の領域に分割する分割壁を具備し、前記分割壁によって分割された分割巻枠部に前記所定の巻線が平行巻きで巻回されたことを特徴とする。
【発明の効果】
【０００９】
本発明にかかるコモンモードチョークコイルによれば、ボビン上の巻枠部を２以上の領域に分割する分割壁が具備され、この分割壁によって分割された分割巻枠部に所定の巻線を平行巻きで巻回するように構成しているので、巻線間の結合容量に起因して生ずる平衡度の低下を抑制しつつ、ノーマルモードインピーダンスの増加を抑制することができるという効果を奏する。
【発明を実施するための最良の形態】
【００１０】
以下に、本発明にかかるコモンモードチョークコイル、コンセントプラグ、コンセントアダプタ、配線アダプタおよびテーブルタップの好適な実施の形態を図面に基づいて詳細に説明する。なお、以下の実施の形態により本発明が限定されるものではない。
【００１１】
実施の形態１．
図１−１は、本発明の実施の形態１にかかる分割ボビンを用いたコモンモードチョークコイルの概略構成を示す図（正面図）であり、図１−２は、図１−１を右側方から見た図（側面図）である。
【００１２】
図１−１および図１−２に示すように、この実施の形態のコモンモードチョークコイルは、端子１、導電パターン２、フェライトコア３および分割ボビン４を備えている。ここで、分割ボビン４の中央部には、中空部４ａが設けられ、この中空部４ａには、トロイダル（円環）状のフェライトコア３が挿通されている。また、分割ボビン４には、１個以上の分割壁５が設けられている。この分割壁５は、両端が端子１になっている複数の導電パターン２を平行に巻回した際に、隣り合う導電パターン２との結合容量を小さくするために設けられている。具体的には、フェライトコア３に装着された分割ボビン４では、その端部壁と分割壁５、あるいは分割壁５同士で分割された巻枠部（以下「分割巻枠部」という）４ｂの部分に導電パターン２が平行巻きで複数回巻回され、導電パターンの両端が端子１になっている。
【００１３】
なお、分割巻枠部４ｂに巻回される導電パターン２としては、単相２線式のような２線タイプのものから、３相３線式のような３線タイプや、３相４線式のような４線タイプのものなど、種々のタイプのものを適用することができる。また、導電パターン２が巻回されるフェライトコア３は、一体型コア、あるいは割りコアのような分割型コアであっても構わない。
【００１４】
図２および図３は、実施の形態１にかかる分割ボビン４とフェライトコア３の間の装着関係の図１とは異なる一例を示す図である。すなわち、分割ボビン４とフェライトコア３は、図１−１に示すような水平な位置関係、図２に示すような垂直な位置関係、あるいはそれ以外のいずれの位置関係（図３参照）であっても構わない。
【００１５】
図４および図５は、本発明の実施の形態１にかかるフェライトコア３を分割型コアで構成する場合の一例を示す図である。分割型コアを組み合わせてトロイダル形状にする場合のフェライトコア３の形状は、例えば図４に示すように、Ｕ型フェライトコア６とＩ型フェライトコア７との組合せ（ＵＩ型コア）、または図５に示すように、Ｅ型フェライトコア８同士の組合せ（ＥＥ型コア）で構成することができる。なお、これら以外にも、Ｕ型フェライトコア同士の組合せや、Ｅ型フェライトコアとＩ型フェライトコアとの組合せなども考えられ、いずれの組合せでも構わない。なお、分割型コアを利用する際には、コア同士の接着面同士は隙間なく接していることが好ましいが、この場合、樹脂を用いて接着する手法や金具を用いて固定する手法などを含み、いずれの手法を用いてもよい。
【００１６】
以上説明したように、この実施の形態によれば、分割壁によって分割された分割巻枠部を有する分割ボビンを用いて複数線平行巻きのコモンモードチョークコイルを構成しているので、導電パターン間の結合容量に起因して生ずる平衡度の低下を抑制しつつ、ノーマルモードインピーダンスの増加を来さないコモンモードチョークコイルを簡易かつ安価に製造することが可能となる。
【００１７】
実施の形態２．
図６は、本発明の実施の形態２にかかるコモンモードチョークコイルの概略構成を示す図である。ここで、図６は、図１−２に示した側面図に対応するものであり、分割壁５によって分割された分割ボビン４に２線の導電パターン２を巻回して構成したコモンモードチョークコイルを示している。なお、この実施の形態のコモンモードチョークコイルの特徴は、図６に示すように、２線の導電パターン２が、フェライトコア３に具備した分割ボビン４の分割巻枠部４ｂの部分に平行巻き（バイファイラ巻き）で１ターン（１巻）巻回されている点にあり、導電パターン２の隣接する部分が分割壁５によって分離され、結合容量が小さくなるように工夫されている。
【００１８】
なお、実施の形態２におけるフェライトコア３の形状や、分割ボビン４とフェライトコア３の実装要領についても、実施の形態１と同様であり、その説明を省略する。
【００１９】
また、実施の形態１のときと同様に、分割巻枠部４ｂの部分に巻回される導電パターン２として、２線タイプ（単相２線式など）、３線タイプ（単相３線式、３相３線式など）、４線タイプ（３相４線式など）あるいは、これら以外のタイプのものを適用することができる。
【００２０】
以上説明したように、この実施の形態によれば、分割巻枠部を有する分割ボビンを用いて複数線平行巻きのコモンモードチョークコイルを構成するとともに、分割巻枠部に巻回される導電パターンを１ターンに制限しているので、実施の形態１の効果に加え、隣接する導電パターン間の結合容量の増加が抑えられるので、平衡度の低下をさらに抑止することができるという効果が得られる。
【００２１】
実施の形態３．
図７は、本発明の実施の形態３にかかるコモンモードチョークコイルの概略構成を示す図である。図７に示すコモンモードチョークコイルの特徴は、巻回された導電パターン２と隣り合う導電パターン２との容量結合を低下させるために、分割壁５に切り欠き部９を設けているところにある。なお、このような切り欠き部９を１個以上設けることにより、分割巻枠部４ｂの部分に平行巻きされる導電パターン２が隣接する導電パターン２と重なることなく、巻回することが可能になる。
【００２２】
なお、図７に示すコモンモードチョークコイルは、切り欠き部９が設けられた分割壁５によって分割された分割ボビン４に、４線の導電パターン２を巻回して構成したコモンモードチョークコイルを示しているが、２線の導電パターン２を巻回する場合には、図８に示すような構成となる。
【００２３】
以上説明したように、この実施の形態によれば、分割ボビンの分割壁に１箇所以上（１〜複数）の切り欠き部を設けるようにしているので、導電パターンを平行巻きする際に、隣接する導電パターン同士間の結合を抑制するための構造が提供され、コモンモードチョークコイルの性能を高めることができる。
【００２４】
実施の形態４．
図９は、本発明の実施の形態４にかかるコモンモードチョークコイルの概略構成を示す図である。図９に示すコモンモードチョークコイルの特徴は、分割ボビン４の分割壁５を導電パターンの巻幅方向に螺旋状に形成したところにある。このような螺旋状に形成された分割壁５によれば、導電パターン２を巻回する分割巻枠部４ｂが、分割壁５で区切られることなく分割壁５に沿って連続的に形成される。したがって、分割巻枠部４ｂの部分に導電パターン２を平行に巻回することにより、実施の形態３のような切り欠き部９を設けることなく、隣接する導電パターン２同士が分割壁で分離されるように巻回することができる。
【００２５】
なお、図９に示すコモンモードチョークコイルは、螺旋状に形成された分割壁５を有する分割ボビン４に、４線の導電パターン２を巻回して構成したコモンモードチョークコイルを示しているが、２線の導電パターン２を巻回する場合には、図１０に示すような構成となる。
【００２６】
以上説明したように、この実施の形態によれば、分割ボビンの分割壁を導電パターンの巻幅方向に螺旋状に形成するようにしているので、実施の形態４のように、分割壁に切り欠き部を設ける必要がない。このため、導電パターンを分割ボビンに平行巻きする際の作業工程を簡易化かつ短縮化することができる。また、導電パターンを巻回する分割巻枠部が、分割壁で区切られることなく分割壁に沿って連続的に形成されるので、各導電パターン間の構造的対称性の崩れが抑止されて導電パターンの各線間の平衡度が維持され、コモンモードチョークコイルの性能を高めることができる。
【００２７】
実施の形態５．
図１１は、実施の形態１〜４に示すコモンモードチョークコイルを内蔵する実施の形態５にかかるコンセントプラグの概略構成を示す図である。図１１において、実施の形態１〜４に示したコモンモードチョークコイル１０が、コンセントプラグ１１本体の筐体部１２に内蔵される。コモンモードチョークコイル１０の一端側の端子（または引き出し線）は、電力線通信を行う通信装置（以下「電力線通信装置」という）に接続される通信線１３に接続され、また、その他端側の端子（または引き出し線）は、電力線または通信線に接続されるプラグ端子１４に接続される。
【００２８】
ここで、電力線通信について簡単に説明する。電力線通信とは、既存の中圧配電線や低圧配電線を通信路として用いる通信技術である。また、電力線通信におけるシステム構成は、中圧用電力線通信装置親機（低圧用電力線通信親機を含む）、低圧用中継装置、宅内子機等で構成される。電力線通信において通信される通信データは、中圧用電力線通信装置親機と、低圧用中継装置または宅内子機との間で伝送される。なお、中圧用電力線通信装置親機に上位ネットワークとのインターフェース機能を具備させることにより、例えばインターネット通信が、電力線通信システムにおいて可能となる。
【００２９】
つぎに、図１１に示したコンセントプラグ１１の動作について説明する。図示を省略した電力線通信装置から出力された通信信号は、通信線１３を通じて、コンセントプラグ１１に内蔵されたコモンモードチョークコイル１０を経由してプラグ端子１４に接続される電力線や通信線と結合される。
【００３０】
このとき、通信線１３と対地導体との間に発生したコモンモード電流が、コモンモードチョークコイル１０を通過する際に、コモンモードチョークコイル１０にて低減されるので、プラグ端子１４から先へ通過するコモンモード電流を低減させることができる。また、配線系の不平衡により発生するコモンモード電流を低減させることができる。
【００３１】
また、図１２に示すように、通信線１３をツイスト状に捻って配置するようにすれば、平衡度を損なうことなく既存のコモンモード電流を低減することができる。その結果、プラグ端子１４から先へ通過するコモンモード電流をさらに低減することが可能となる。
【００３２】
なお、図１３に示すように、通信線１３は平行２線のままとし、代わりにコモンモードチョークコイルに巻回される導電パターン２をツイスト状に巻回してもよい。また、通信線１３と導電パターン２の両者をツイスト状にしてもよい。
【００３３】
以上説明したように、この実施の形態によれば、実施の形態１〜４に示すコモンモードチョークコイルをコンセントプラグに内蔵するようにしているので、電力線通信装置と既存の電力線との接続を、このコンセントプラグを介して簡易に行い、かつ、コモンモード電流を低減することが可能となる。
【００３４】
実施の形態６．
図１４は、実施の形態１〜４に示すコモンモードチョークコイルを内蔵する実施の形態６にかかるコンセントアダプタの概略構成を示す図である。図１４に示すコンセントアダプタ１５の特徴は、図１１に示したコンセントプラグ１１と同等の構成において、コモンモードチョークコイル１０の通信線１８側にジャック端子１６を設けた点にある。なお、このようなジャック端子１６を設けることにより、例えば電力線通信装置（図示省略）に接続されるコンセントプラグ１７を、このジャック端子１６に挿入することができる。すなわち、この実施の形態のコンセントアダプタを使用することにより、電力線通信装置と電力線との間に介在し、電力線側に流出するコモンモード電流や、配線系の不平衡により発生するコモンモード電流を低減させることが可能となる。
【００３５】
以上説明したように、この実施の形態によれば、実施の形態１〜４に示すコモンモードチョークコイルをコンセントアダプタに内蔵するとともに、コンセントプラグのプラグ端子を接続するジャック端子を設けるようにしているので、実施の形態５の効果に加えて、コモンモードチョークコイルを具備しない電力線通信装置を接続した場合であっても、当該電力線通信装置からのコモンモード電流を低減させることができる。
【００３６】
なお、この実施の形態のコンセントアダプタにおいても、実施の形態５と同様に、コモンモードチョークコイル１０における信号線側および電力線側の両配線、またはいずれか一方の配線をツイストペアで構成することも可能である。
【００３７】
実施の形態７．
図１５は、実施の形態１〜４に示すコモンモードチョークコイルを内蔵する実施の形態７にかかるテーブルタップの概略構成を示す図である。図１５に示すテーブルタップ１９では、電力線通信装置以外の電気機器（例えば家電機器）を接続する接続端子２０をコモンモードチョークコイル１０と接続端子２１とを繋ぐ導電線からの分岐線上にインダクタ素子２３を介して設けている。このような接続端子２２を設けることにより、電力線通信装置用のコンセントを電力線通信装置以外の電気機器用として共用することができ、コンセントプラグやコンセントアダプタなどの不必要な増加を抑制することが可能となる。なお、図１５において、電力線通信装置接続用の接続端子２０や電力線接続用の接続端子２１については、コンセントプラグやコンセントジャックの構成としてもよい。
【００３８】
以上説明したように、この実施の形態によれば、実施の形態１〜４に示すコモンモードチョークコイルをコンセントプラグに内蔵するようにしているので、実施の形態５の効果に加えて、電力線通信装置用のコンセントを電力線通信装置以外の電気機器用として共用することができ、電力線通信装置や電力線通信装置以外の電気機器を電力線に接続する場合の柔軟性、簡易性を確保することができる。
【００３９】
なお、この実施の形態のテーブルタップにおいても、実施の形態５，６と同様に、コモンモードチョークコイル１０における信号線側および電力線側の両配線、またはいずれか一方の配線をツイストペアで構成することも可能である。
【００４０】
実施の形態８．
図１６は、実施の形態１〜４に示すコモンモードチョークコイルを内蔵する実施の形態８にかかる配線アダプタの概略構成を示す図である。図１６において、配線アダプタ２４は、実施の形態１〜４に示すコモンモードチョークコイル１０が内蔵され、図示を省略した電力線通信装置とコモンモードチョークコイル１０との接続は、電力線通信装置を接続する導電線２５とコモンモードチョークコイル１０を接続する通信線２６とをトランス結合にて接続するようにしている。一方、電力線側では、コモンモードチョークコイル１０と図示を省略した電力線との間を、通信線２７を介して交流的に接続するようにしている。
【００４１】
なお、実施の形態５，６では、コンセントプラグ１１やコンセントアダプタ１５の内部に、商用電力に基づく電流と通信信号に基づく電流とが流れる場合について説明したが、図１６に示す実施態様では、通信線２５には通信信号のみが流れる場合を想定しており、コンセントプラグ１１やコンセントアダプタ１５が無い場所への取付けが可能となる。
【００４２】
以上説明したように、この実施の形態によれば、実施の形態１〜４に示すコモンモードチョークコイルを配線アダプタに内蔵するようにしているので、近くに電力線がなく、逆に、電力線通信装置や通信線がある場合に、この配線アダプタを利用して、これらの電力線通信装置や通信線に接続することができるので、配線の柔軟性、簡易性、経済性を確保することができる。
【００４３】
なお、この実施の形態の配線アダプタにおいても、実施の形態５〜７と同様に、コモンモードチョークコイル１０における信号線側および電力線側の両配線、またはいずれか一方の配線をツイストペアで構成することも可能である。
【００４４】
実施の形態９．
本発明の実施の形態１〜４に示すコモンモードチョークコイルは、電源等のノイズフィルタとして使ってもよい。図１７は、実施の形態１〜４に示すコモンモードチョークコイルを電子機器などに具備されるスイッチング電源の入力側に配置した実施の形態９にかかる実施態様を示す図である。同図において、２極のＡＣ電源プラグ２８から入力されたＡＣ入力は、アクロスザラインコンデンサ（Ｘコン）２９を経由し、実施の形態１〜４に示したコモンモードチョークコイル１０を通過し、さらにラインバイパスコンデンサ３０とノーマルモードチョークコイル３１を介してスイッチング電源３２に供給される。スイッチング電源３２は、ＡＣ入力をＤＣ出力に変換し、後段に接続される電子回路に対して必要な電力を供給する。
【００４５】
図１７に示すような回路構成の場合、スイッチング電源３２から発生するコモンモードノイズが実施の形態１〜４に示したコモンモードチョークコイル１０によって阻止され、ＡＣ電源プラグ２８から電力線側に伝達される可能性のあるコモンモード電流を低減することが可能となる。なお、図１７に示す実施態様は、実施の形態９を説明するための一例に過ぎず、コモンモードチョークコイルが挿入される種々の回路構成を採用することができる。
【００４６】
以上説明したように、この実施の形態によれば、実施の形態１〜４に示すコモンモードチョークコイルを、例えばスイッチング電源を有する電子機器の入力側に挿入するようにしているので、スイッチング電源から電力線側に伝達される可能性のあるコモンモード電流を低減することが可能となる。
【００４７】
実施の形態１０．
図１８は、実施の形態１〜４に示すコモンモードチョークコイルを電子機器などに具備されるスイッチング電源の出力側に配置した実施の形態１０にかかる実施態様を示す図である。同図において、図示を省略したＡＣ電源から入力されたＡＣ入力はスイッチング電源３２にてＤＣ出力に変換され、この変換されたＤＣ出力は、実施の形態１〜４に示したコモンモードチョークコイル１０や、ノーマルモードチョークコイル３１、アクロスザラインコンデンサ（Ｘコン）２９を通じて、後段に接続される電子回路に供給される。
【００４８】
図１８に示すような回路構成の場合、スイッチング電源３２から発生するコモンモードノイズが実施の形態１〜４に示したコモンモードチョークコイル１０によって阻止され、自身の電子回路側に漏洩する可能性のあるコモンモード電流を低減することができる。なお、図１８に示す実施態様は、実施の形態１０を説明するための一例に過ぎず、コモンモードチョークコイルが挿入される種々の回路構成を採用することができる。
【００４９】
また、図１８に示す回路構成では、自身の電子回路側に漏洩するコモンモードノイズを低減するための構成として、実施の形態１〜４に記載のコモンモードチョークコイル１０をスイッチング電源３２の出力側に配置するようにしているが、スイッチング電源３２の入力側にコモンモード電流が漏洩する場合には、これらのコモンモードチョークコイル１０を入力側にも実装することが好ましい。
【００５０】
以上説明したように、この実施の形態によれば、実施の形態１〜４に示すコモンモードチョークコイルを、例えばスイッチング電源を有する電子機器の出力側に挿入するようにしているので、スイッチング電源から自身の電子回路側に漏洩する可能性のあるコモンモード電流を低減することが可能となる。
【産業上の利用可能性】
【００５１】
以上のように、本発明は、電力線通信を行う通信装置、電力線通信に用いられる電源装置、あるいは電力線、通信線などの要所に配置されるコモンモードチョークコイルならびに当該コモンモードチョークコイルを具備するコンセントプラグ、コンセントアダプタおよびテーブルタップなどに好適である。
【図面の簡単な説明】
【００５２】
【図１−１】本発明の実施の形態１にかかる分割ボビンを用いたコモンモードチョークコイルの概略構成を示す正面図である。
【図１−２】本発明の実施の形態１にかかる分割ボビンを用いたコモンモードチョークコイルの概略構成を示す側面図である。
【図２】実施の形態１にかかる分割ボビンとフェライトコアの装着関係の図１とは異なる一例を示す図である。
【図３】実施の形態１にかかる分割ボビンとフェライトコアの装着関係の図１および図２とは異なる一例を示す図である。
【図４】本発明の実施の形態１にかかるフェライトコアを分割型コアで構成する場合の一例を示す図である。
【図５】本発明の実施の形態１にかかるフェライトコアを分割型コアで構成する場合の図４とは異なる一例を示す図である。
【図６】本発明の実施の形態２にかかるコモンモードチョークコイル（２線平行巻き）の概略構成を示す図である。
【図７】本発明の実施の形態３にかかるコモンモードチョークコイル（４線平行巻き、切り欠き部有り）の概略構成を示す図である。
【図８】本発明の実施の形態３にかかるコモンモードチョークコイル（２線平行巻き、切り欠き部有り）の概略構成を示す図である。
【図９】本発明の実施の形態４にかかるコモンモードチョークコイル（４線平行巻き、螺旋分割壁）の概略構成を示す図である。
【図１０】本発明の実施の形態４にかかるコモンモードチョークコイル（２線平行巻き螺旋分割壁）の概略構成を示す図である。
【図１１】実施の形態１〜４に示すコモンモードチョークコイルを内蔵する実施の形態５にかかるコンセントプラグの概略構成を示す図である。
【図１２】実施の形態５にかかるコンセントプラグの図１１とは異なる他の実施態様を示す図である。
【図１３】実施の形態５にかかるコンセントプラグの図１１および図１２とは異なる他の実施態様を示す図である。
【図１４】、実施の形態１〜４に示すコモンモードチョークコイルを内蔵する実施の形態６にかかるコンセントアダプタの概略構成を示す図である。
【図１５】実施の形態１〜４に示すコモンモードチョークコイルを内蔵する実施の形態７にかかるテーブルタップの概略構成を示す図である。
【図１６】実施の形態１〜４に示すコモンモードチョークコイルを内蔵する実施の形態８にかかる配線アダプタの概略構成を示す図である。
【図１７】実施の形態１〜４に示すコモンモードチョークコイルを電子機器などに具備されるスイッチング電源の入力側に配置した実施の形態９にかかる実施態様を示す図である。
【図１８】実施の形態１〜４に示すコモンモードチョークコイルを電子機器などに具備されるスイッチング電源の出力側に配置した実施の形態１０にかかる実施態様を示す図である。
【符号の説明】
【００５３】
１  端子
２  導電パターン
３，６，７，８  フェライトコア
４  分割ボビン
４ａ  中空部
４ｂ  分割巻枠部
５  分割壁
９  切り欠き部
１０  コモンモードチョークコイル
１１，１７  コンセントプラグ
１２  筐体部
１３，１８，２６，２７  通信線
１４  プラグ端子
１５  コンセントアダプタ
１６  ジャック端子
１９  テーブルタップ
２０，２１，２２  接続端子
２３  インダクタ素子
２４  配線アダプタ
２５  導電線
２８  電源プラグ
２９  アクロスザラインコンデンサ
３０  ラインバイパスコンデンサ
３１  ノーマルモードチョークコイル
３２  スイッチング電源
【図１−１】
2007335526.tif 000003
【図１−２】
2007335526.tif 000004
【図２】
2007335526.tif 000005
【図３】
2007335526.tif 000006
【図４】
2007335526.tif 000007
【図５】
2007335526.tif 000008
【図６】
2007335526.tif 000009
【図７】
2007335526.tif 000010
【図８】
2007335526.tif 000011
【図９】
2007335526.tif 000012
【図１０】
2007335526.tif 000013
【図１１】
2007335526.tif 000014
【図１２】
2007335526.tif 000015
【図１３】
2007335526.tif 000016
【図１４】
2007335526.tif 000017
【図１５】
2007335526.tif 000018
【図１６】
2007335526.tif 000019
【図１７】
2007335526.tif 000020
【図１８】
2007335526.tif 000021